(57)【要約】【課題】複数の映像入力ポートを持つ映像表示装置において、現在視聴中の映像を妨害することなく、新しい映像入力の存在を使用者に認識させ、また、新しい映像入力への切替えを容易に可能にする。【解決手段】複数の映像入力ポート１１，１２，１３と各映像入力ポートの映像信号の有無を検出する複数の映像信号検出手段１４，１５，１６と、複数の映像入力ポートから入力された映像信号を切替え選択する映像信号出力切替え手段１７と、映像信号出力切替え手段１７で選択された映像信号を表示する映像信号表示手段１８と、映像信号表示手段１８によって表示されている映像信号の画面外に映像信号検出手段の検出結果を表示するための映像信号入力状態表示手段１９とを備える。【選択図】図１
2008076455.tif 000002
【特許請求の範囲】
【請求項１】
複数の映像入力ポートと、各映像入力ポートの映像信号の有無を検出する複数の映像信号検出手段と、前記複数の映像入力ポートから入力された映像信号を切替え選択する映像信号出力切替え手段と、前記映像信号出力切替え手段で選択された映像信号を表示する映像信号表示手段と、前記映像信号表示手段によって表示されている映像信号の画面外に前記映像信号検出手段の検出結果を表示するための映像信号入力状態表示手段とを備えることを特徴とする映像表示装置。
【請求項２】
請求項１記載の映像表示装置において、前記映像信号入力状態表示手段は各映像入力ポート対応の複数の発光素子であることを特徴とする映像表示装置。
【請求項３】
請求項２記載の映像表示装置において、ある映像入力ポートに映像信号入力があると、対応する発光素子を点滅表示することを特徴とする映像表示装置。
【請求項４】
請求項２記載の映像表示装置において、ある映像入力ポートに映像信号入力があると、対応する発光素子の表示色を変更することを特徴とする映像表示装置。
【請求項５】
請求項１記載の映像表示装置において、前記映像信号入力状態表示手段は文字表示素子であることを特徴とする映像表示装置。
【請求項６】
請求項１記載の映像表示装置において、前記映像信号入力状態表示手段は映像表示素子であることを特徴とする映像表示装置。
【請求項７】
請求項１記載の映像表示装置において、前記映像信号入力状態表示手段に音声出力手段を利用することを特徴とする映像表示装置。
【請求項８】
請求項１記載の映像表示装置において、前記映像信号出力切替え手段は、映像表示装置本体に備えられている操作キーからの入力により映像信号を切替えることを特徴とする映像表示装置。
【請求項９】
請求項１記載の映像表示装置において、前記映像信号出力切替え手段は、リモコンのキー入力により映像信号を切替えることを特徴とする映像表示装置。
【請求項１０】
請求項１記載の映像表示装置において、前記映像信号出力切替え手段は、使用者の音声入力により映像信号を切替えることを特徴とする映像表示装置。
【請求項１１】
請求項１から１０のいずれか１項に記載の映像表示装置において、前記映像信号入力状態表示手段は、前記映像信号検出手段において新しい映像信号を検出した場合、検出結果を一定時間、所定の表示形態で表示し、一定時間経過すると表示形態を変更することを特徴とする映像表示装置。
【請求項１２】
請求項１から１１のいずれか１項に記載の映像表示装置において、複数の新しい映像信号が検出されたとき、前記映像信号出力切替え手段は初めに検出された新しい映像信号から切替えることを特徴とする映像表示装置。
【請求項１３】
請求項１から１２のいずれか１項に記載の映像表示装置において、前記映像信号出力切替え手段は、視聴している映像入力ポートからの映像信号検出が無くなった場合、視聴している映像入力ポート以外の映像信号検出手段が映像信号有りと検出している映像入力ポートの映像信号に切替えることを特徴とする映像表示装置。
【請求項１４】
請求項１３記載の映像表示装置において、視聴している映像入力ポートからの映像信号検出が無くなり、視聴している映像入力ポート以外の複数の映像信号検出手段が映像信号有りと検出している場合、直前に視聴していた映像入力ポートの映像信号に切替えることを特徴とする映像表示装置。
【請求項１５】
請求項１３記載の映像表示装置において、視聴している映像入力ポートからの映像信号検出が無くなり、視聴している映像入力ポート以外の複数の映像信号検出手段が映像信号有りと検出している場合、あらかじめ定めた優先度の高い映像入力ポートの映像信号に切替えることを特徴とする映像表示装置。
【請求項１６】
請求項１３記載の映像表示装置において、視聴している映像入力ポートからの映像信号検出が無くなり、視聴している映像入力ポート以外の複数の映像信号検出手段が映像信号有りと検出している場合、前記映像信号検出手段が検出した順番に映像入力ポートの映像信号に切替えることを特徴とする映像表示装置。
【発明の詳細な説明】
【技術分野】
【０００１】
本発明は、複数の映像入力ポートを持つ映像表示装置において、新しく映像信号が入力された入力端子を検出して検出結果を使用者に表示するのに好適な映像表示装置に関する。
【背景技術】
【０００２】
近年、テレビやディスプレイ等に代表される画像表示装置は複数の機器による入力に対応しなくてはならなくなってきている。例えば、テレビやＶＴＲ、ＤＶＤプレーヤー・レコーダー、ＰＣ、ＤＶカメラ等の機器である。そのため、前記の各機器から入力される映像信号入力端子の系統数も増えてきている。使用者は所望の入力系統を選択するために、複数回スイッチまたはリモコンのキーを操作しなくてはいけないという操作感の悪さがあった。
【０００３】
このため、例えば特許文献１には、新しいビデオ信号が入力された場合に、これを感知して新しいビデオ信号の入力メッセージと共に所定メニュー画面を自動的に表示し、メニュー選択信号によって新しいビデオ信号を表示するか、現在表示中のビデオ信号の表示を持続するかを選択することが開示されている。
【０００４】
また、特許文献２には、各端子の入力信号を検出して常に新しく入力信号が検出された入力端子を自動的に選択して出力するようにし、出力となっている端子に信号が入力されなくなると自動的に信号が入力されている他の端子を出力として選択するが開示されている。
【０００５】
【特許文献１】特開２００５−０４９８３７号公報
【特許文献２】特開２００１−３４６１０１号公報
【発明の開示】
【発明が解決しようとする課題】
【０００６】
しかしながら、特許文献１においては、新しい入力が検知されると、現在視聴中の画面にメニュー画面を表示して使用者に入力を選択させる方法をとっている。これは新しい入力信号に対しての切替えは容易に行うことができるが、現在視聴している映像を続けて見たい使用者に対しては、現在視聴中の画面にメニュー画面を重ねて表示して入力の選択をさせることは視聴中の映像を妨害されるという問題がある。
【０００７】
また、特許文献２においては、新しい入力が検知されると、自動的に新しい入力へと切り替わってしまい現在視聴している映像を続けて見たい場合には、再度手動で入力を切替える必要があるという問題がある。また、新しい映像入力が検知された場合は、新しい映像入力に容易に切替えたいという要求も存在する。
【０００８】
本発明の目的は、新しい映像入力を検知した場合、現在視聴中の映像を妨害することなく、映像信号が表示されている画面外に新しい映像入力の存在を使用者に認識させ、さらに少ない手順で新しい入力にも切替えることのできる映像表示装置を提供することにある。
【課題を解決するための手段】
【０００９】
本発明の映像表示装置は、複数の映像入力ポートと、各映像入力ポートの映像信号の有無を検出する複数の映像信号検出手段と、前記複数の映像入力ポートから入力された映像信号を切替え選択する映像信号出力切替え手段と、前記映像信号出力切替え手段で選択された映像信号を表示する映像信号表示手段と、前記映像信号表示手段によって表示されている映像信号の画面外に前記映像信号検出手段の検出結果を表示するための映像信号入力状態表示手段とを備えることを特徴とする。現在視聴している映像以外の新しい映像信号が映像入力ポートに入力された場合、これを検知して、映像信号表示手段によって映像の表示されている画面外に、映像信号入力状態表示手段を介して検出結果を表示することによって、使用者は、新しい映像信号が入力されたことを視聴中の画面を妨害されること無く、判別できる。
【００１０】
本発明の映像表示装置において、映像信号入力状態表示手段は、例えば、各映像入力ポート対応の複数の小型の発光素子であり、ある映像入力ポートに映像信号入力があると、対応する小型発光素子を点滅表示したり、表示色を変更するようにする。
【００１１】
また、本発明の映像表示装置において、映像信号入力状態表示手段は小型の文字表示素子であり、新しい映像信号入力があると、その旨を文字列で表示するようにする。
【００１２】
また、本発明の映像表示装置において、映像信号入力状態表示手段は小型の映像表示素子であり、新しい映像信号入力があると、その映像を表示するようにする。
【００１３】
また、本発明の映像表示装置において、映像信号入力状態表示手段は、既存の音声出力手段を利用することでもよく、新しい映像信号入力があると、その旨を音声を介して表示する。
【００１４】
また、本発明の映像表示装置において、映像信号出力切替え手段は、映像表示装置本体に備えられている操作キーからの入力により映像信号を切替えることを特徴とする。これによって、現在視聴している映像以外の新しい映像信号が映像入力ポートに入力された場合、使用者は、新しい映像信号が入力されたことを視聴中の画面を妨害されること無く判別でき、さらに、映像表示装置に備えられたスイッチ等を押すことによって少ない手順で新しい映像信号入力に切替えることも可能になる。
【００１５】
また、本発明の映像表示装置において、映像信号出力切替え手段は、リモコンのキー入力により映像信号を切替えることも可能である。
【００１６】
また、本発明の映像表示装置において、映像信号出力切替え手段は、装置に備えられたマイクによって使用者の音声入力により映像信号を切替えることも可能である。
【００１７】
また、本発明の映像表示装置において、映像信号入力状態表示手段は、映像信号検出手段において新しい映像信号を検出した場合、検出結果を一定時間、点滅等の所定の表示形態で表示し、一定時間経過すると点灯等に表示形態を変更することを特徴とする。これにより、使用者は、新しい映像信号入力有りの表示を気にすることなく、現在視聴中の映像を続けて視聴できる。
【００１８】
また、本発明の映像表示装置において、複数の新しい映像信号が検出されたとき、映像信号出力切替え手段は、初めに検出された新しい映像信号から切替えることを特徴とする。これにより、自動的に新しい映像信号入力に切り替えることも可能である。
【００１９】
また、本発明の映像表示装置において、映像信号出力切替え手段は、視聴している映像入力ポートからの映像信号検出が無くなった場合、視聴している映像入力ポート以外の映像信号検出手段が映像信号有りと検出している映像入力ポートの映像信号に切替えることを特徴とする。
【００２０】
また、本発明の映像表示装置において、映像信号出力切替え手段は、視聴している映像入力ポートからの映像信号検出が無くなり、視聴している映像入力ポート以外の複数の映像信号検出手段が映像信号有りと検出している場合、直前に視聴していた映像入力ポートの映像信号に切替えることを特徴とする。
【００２１】
また、本発明の映像表示装置において、映像信号出力切替え手段は、視聴している映像入力ポートからの映像信号検出が無くなり、視聴している映像入力ポート以外の複数の映像信号検出手段が映像信号有りと検出している場合、あらかじめ定めた優先度の高い映像入力ポートの映像信号に切替えることを特徴とする。さらには、検出された順番に映像入力ポートの映像信号を切り替えることを特徴とする。
【発明の効果】
【００２２】
本発明の映像表示装置においては、現在視聴している映像以外の新しい映像信号が映像入力ポートに入力された場合、利用者は、新しい映像信号が入力されたことを視聴中の画面を妨害されること無く判別でき、また、容易に新しい映像信号入力に切り替えることも可能になる。
【発明を実施するための最良の形態】
【００２３】
以下、図面を参照して本発明の種々の実施形態を詳細に説明する。なお、以下の各実施形態の説明では映像入力ポートは３つとし、従って入力映像信号は最大３つまでとするが、もちろん、これに限らないことは当然である。
【００２４】
図１は本発明の映像表示装置の構成例を示すブロック図である。本映像表示装置は、３つの映像信号を入力することができる映像入力ポート１１，１２，１３、これら映像入力ポート１１，１２，１３から入力された映像信号の有無を検出するための各映像入力ポートに対応した映像信号検出手段１４，１５，１６、各映像入力ポートから入力された映像信号を切替え選択するための映像信号出力切替え手段１７、映像信号出力切替え手段１７において選択された映像信号を表示するための映像信号表示手段１８、映像信号検出手段１４，１５，１６の検出結果を表示するための映像信号入力状態表示手段１９で構成される。映像表示装置は、これら以外にも種々の機能、手段を備えているが（デコーダ、Ａ／Ｓ変換器、その他）、図１では省略してある。
【００２５】
映像入力ポート１１，１２，１３は映像信号の入力端子であって、例えばパソコン（ＰＣ）の出力でＤ−ｓｕｂ１５ピンの端子から入力されるアナログＲＧＢ映像信号、ＤＶＩ（Digital  Visual  Interface）と呼ばれるシリアル転送方式の差動デジタル映像信号、またはＶＴＲ、ＤＶＤプレーヤ等からのＮＴＳＣビデオ信号が入力される映像信号入力端子である。なお、映像入力ポート１１，１２，１３はその他の映像信号入力であっても構わないし、３ポート以上あっても構わない。
【００２６】
映像入力ポート１１，１２，１３から入力された各映像信号は、各々の映像入力ポート１１，１２，１３に対応した映像信号検出手段１４，１５，１６を通って映像信号出力切替え手段１７に入力される。映像信号出力切替え手段１７は、使用者からの切替え指示に応じて、入力された映像信号を切替え映像信号表示手段１８に出力するが、これについては後述する。映像信号表示手段１８は、一般にはＣＲＴ，ＰＤＰ，ＬＣＤ等の映像表示素子であり、映像信号出力切替え手段１７で選択された映像信号をそのまま、あるいは必要なら画像処理などして表示する。一方、映像信号検出手段１４，１５，１６は、それぞれ映像入力ポート１１，１２，１３から入力される映像信号の有無を常に検出しており、その検出結果が映像信号入力状態表示手段１９を介して、使用者に対して通知される。これについても後述する。
【００２７】
なお、映像入力ポート１１，１２，１３から入力される各映像信号は、映像信号検出手段１４，１５，１６とは別途、直接、映像信号出力切替え手段１７に入力するようにしても良い。また、実施形態によっては、映像信号検出手段１４，１５，１６では、それぞれ映像信号入力の有無の検出結果を映像信号出力切替え手段１７にも通知する。
【００２８】
映像信号検出手段１４，１５，１６は、例えば、入力された映像信号の垂直同期信号の周期を数えて入力信号有りとすることで、映像信号の有無を簡単に検出可能であるが、入力された映像信号の水平同期信号、クロック等の制御信号、または映像入力ポートにスイッチ付き外部入力端子を使用して挿入されたコネクタを検知しても良い。勿論、垂直同期信号等の制御信号とコネクタの検知の両方を検出して、入力された映像信号を入力有りと判断しても良い。
【００２９】
映像信号入力状態表示手段１９は、映像信号検出手段１４，１５，１６によって映像入力ポート１１，１２，１３に映像入力有りと判断された場合、映像信号表示手段１８によって表示されている映像信号の表示部外に、例えば、各々の映像入力ポートに対応して映像信号入力有の状態を表示する。以下に、映像信号入力状態表示手段１９の種々の実施形態を説明する。
【００３０】
第１の実施例においては、映像信号入力状態表示手段１９は小型発光素子、例えばＬＥＤや小型のランプ等であり、これらを映像入力ポート１１，１２，１３に対応して設けて、映像信号検出手段１４，１５，１６のある検出結果が映像信号入力有りと判断されたならば、対応する小型発光素子を点灯、もしくは点滅、表示色の変更をし、映像信号入力無しと判断された場合は消灯もしくは点灯、表示色の変更をする。図２は映像表示装置パネル部に映像信号入力状態表示手段１９として小型の発光素子（ＬＥＤ）を他の機能別の操作キー、リモコン受信のための受光部等と一緒に配置した構成例を示したものである。図２において、２１〜２３が映像入力ポート１１，１２，１３に対応したＬＥＤ、２４〜２６が操作キー（操作スイッチ）、２７はリモコン受信部、２８はリモコンを示す。ここでは、操作スイッチ２４が映像信号の切替え用とする。例えば、映像入力ポート１１が映像信号検出手段１４によって映像信号入力有りと判断された場合は、対応するＬＥＤ２１が点灯し、使用者に通知することができる。ＬＥＤ２１〜２３は点灯ではなく点滅、表示色の変更でも構わない。使用者は、ＬＥＤ２１，２２，２３の表示状態を見て、必要なら操作スイッチ２４やリモコン２８などで映像出力の切替えを指示する。これを受けて、映像信号出力切替え信号手段１７は映像入力ポート１１，１２，１３から入力された映像信号を切替える。これについては後述する。
【００３１】
第２の実施例においては、映像信号入力状態表示手段１９は文字が表示可能な小型の表示素子（文字表示素子）、例えばマトリクス上に並んだＬＥＤやＶＦＤ（Vacuum  Fluorescent  Display）等であり、映像信号検出手段１４，１５，１６のある検出結果が映像信号入力有りと判断されたならば、小型の文字表示素子に当該入力があることを表示し、映像信号入力無しと判断された場合は非表示とするか入力無しであることを表示する。図３は表示装置の映像信号表示部外に映像信号入力状態表示手段１９として小型の文字表示素子を配置した構成例を示したものである。図３において、３０が表示装置（ディスプレイ）、３１が映像表示用の主表示画面、３２が文字表示素子を示す。例えば、映像入力ポート１１が映像信号検出手段１４によって映像入力有りと判断された場合は、文字表示素子３２は“新規入力有り”や対応する入力ポート名“入力ポート１”等の表示を行い使用者に通知することができる。
【００３２】
第３の実施例においては、映像信号入力状態表示手段１９は小型の映像表示素子、例えばＣＲＴ、ＰＤＰ、ＬＣＤ等であり、映像信号検出手段１４，１５，１６のある検出結果が映像信号入力有りと判断されたならば小型の映像表示素子に新しく検出された映像信号の映像を表示し、映像信号入力無しと判断された場合は非表示とする。図４は表示装置（ディスプレイ）の映像信号表示部外に、映像信号入力状態表示素子１９として小型の映像表示素子を配置した構成例を示したもので、３３が映像表示素子である。例えば、映像入力ポート１１が映像信号検出手段１４によって映像入力有りと判断された場合は、映像表示素子３３は対応する入力ポートに入力された映像信号を表示し、使用者に通知することができる。映像信号は、映像信号検出手段１４，１５，１６から映像信号入力状態表示素子１９である映像表示素子３２に送るようにする。
【００３３】
第４の実施例においては、映像信号入力状態表示手段１９は音源からの音声出力であり、表示装置に備えられているスピーカーを利用する。図５はその構成例であり、表示装置（ディスプレイ）の映像信号表示部外にスピーカー３４、マイク３５が備えられている。映像信号検出手段１４，１５，１６のある検出結果が映像信号入力有りと判断されたならばスピーカー３４から検出音を出力し、映像信号入力無しと判断された場合は何も出力しない。例えば、映像入力ポート１１が映像信号検出手段１４によって映像入力有りと判断された場合は、映像信号入力状態表示手段１９であるスピーカー３４から検出音を１回出力する。このとき映像入力ポート１２に新しい映像信号入力が検出された場合は検出音を２回、映像入力ポート１３に新しい映像信号入力が検出された場合は検出音を３回など、検出音を変えることで、対応する入力ポートへの映像信号の入力有りを、使用者に通知することができる。
【００３４】
このようにして、新しい映像信号が映像入力ポート１１,１２，１３に入力され、映像信号検出手段１４，１５，１６のいずれかで新しい映像信号の入力が検出された場合、映像信号入力状態表示手段１９によって視聴中の映像を妨害することなく使用者に通知して、容易に切替えることが可能になる。
【００３５】
次に、図６乃至図９のフローチャートを用いて、本映像表示装置の種々の実施形態の動作を説明する。
【００３６】
初めに、図６のフローチャートを用いて第１の実施形態の動作を説明する。映像信号入力状態表示手段１９は図２に示すＬＥＤ２１，２２，２３とし、使用者は映像入力ポート１１に入力されている映像信号を視聴しているとする。そこに、例えば、新しく映像入力ポート１２に映像信号が入力された場合（ステップ１００）、映像信号検出手段１５は新しい映像信号入力有りと判断して（ステップ１０１）、映像信号入力状態表示手段１９は、映像入力ポート１２の新しい映像信号入力に対応したＬＥＤ２２を例えば点滅して（ステップ１０２）、使用者に新しい映像信号入力があることを通知する。使用者は現在視聴中の映像を続けて視聴したい場合は何の操作もしないが、新しい映像入力に切替えたい場合は、例えば図２のような映像表示装置パネル部２０に備えられている操作スイッチ２４を操作する。映像信号出力切替え手段１７は、操作スイッチ２４が操作されると、すなわち、操作入力があると（ステップ１０３）、それまでの映像入力ポート１１の映像信号にかえて、映像入力ポート１２に入力された新しい映像信号に切替える（ステップ１０４）。これにより、映像信号表示手段１８では、映像信号出力切替え手段１において選択された映像入力ポート１２の新しい映像信号を表示する。
【００３７】
なお、図２の構成においては、リモコン２８からの入力信号を映像表示装置パネル部２０に備えられた受光部２７で取り込み、これを受けて映像信号切替え出力手段１７が新しい映像信号入力に切替えることでもよい。また、図５においては、表示装置３０に備えられたマイク３５から、使用者の声を取り込み、これを受けて映像信号切替え出力手段１７が新しい映像入力に切替えることができる。
【００３８】
このようにして、使用者は現在視聴中の映像を続けて視聴したい場合には、特に何も意識しなくてもそのまま視聴でき、かつ、新しい映像信号が映像入力ポートに入力され、映像信号検出手段にて新しい映像信号の入力が検出された場合には、視聴中の映像を妨害することなく使用者に通知して、容易に切替えることが可能になる。
【００３９】
次に、図７のフローチャートを用いて第２の実施形態の動作を説明する。ここでも、映像信号入力状態表示手段１９は図２に示すＬＥＤ２１，２２，２３とし、使用者が映像入力ポート１１に入力されている映像信号を視聴しているとする。そこに、例えば、新しく映像入力ポート１２に映像信号が入力された場合（ステップ２００）、映像信号検出手段１５は新しい映像信号入力有りと判断して（ステップ２０１）、一定期間ＬＥＤ２２を点滅させるためにタイマーを起動する（ステップ２０２）。映像信号入力状態表示手段１９は、映像入力ポート１２の新しい映像信号入力に対応したＬＥＤ２２を点滅して（ステップ２０３）、使用者に新しい映像信号入力があることを通知する。使用者は現在視聴中の映像を続けて視聴したい場合は何の操作もしない。一方、新しい映像入力に切替えたい場合、使用者は、先の第１の実施形態の場合と同様に、操作スイッチ、リモコン、マイク等によって切替えを指示する（操作入力）。映像信号出力切替え手段１７は、操作入力があると（ステップ２０４）、それまでの映像入力ポート１１の映像信号にかえて、映像入力ポート１２に入力された新しい映像信号に切替える（ステップ２０５）。また、新しい映像信号を検出後、一定時間経過しても操作入力が無い場合（ステップ２０６）、映像信号入力状態表示手段１９はＬＥＤ２２を点灯に切替える（ステップ２０７）。
【００４０】
このようにして、使用者は、現在視聴中の映像を続けて視聴したい場合には、特に何も意識しなくてもそのまま視聴でき、かつ、新しい映像信号が映像入力ポートに入力され、映像信号検出手段にて新しい映像信号の入力が検出された場合には、視聴中の映像を妨害することなく使用者に通知して、容易に切替えることが可能になり、また、映像信号入力状態表示手段も一定期間で点滅表示を消すことによって、映像信号入力状態表示手段の妨害も受けないようになるという効果がある。
【００４１】
次に、図８のフローチャートを用いて第３の実施形態の動作を説明する。ここでも、映像信号入力状態表示手段１９は図２に示すＬＥＤ２１，２２，２３とし、使用者が映像入力ポート１１に入力されている映像信号を視聴しているとする。そこに、例えば、新しく映像入力ポート１２に映像信号が入力された場合（ステップ３００）、映像信号検出手段１５は新しい映像信号入力有りと判断し（ステップ３０１）、映像信号入力状態表示手段１９は、映像入力ポート１２の新しい映像信号入力に対応したＬＥＤ２２を点滅して（ステップ３０２）、使用者に新しい入力があることを通知する。さらに、例えば、新しく映像入力ポート１３に映像信号が入力された場合（ステップ３００）、映像信号検出手段１６は新しい映像信号入力有りと判断し（ステップ３０１）、映像信号入力状態表示手段１９は、映像入力ポート１３の新しい映像信号入力に対応したＬＥＤ２３を点滅して（ステップ３０２）、使用者に複数の新しい入力があることを通知する。
【００４２】
使用者は、現在視聴中の映像を続けて視聴したい場合は何の操作もしない。一方、新しい映像入力に切替えたい場合は、使用者は、先の第１の実施形態の場合と同様に、操作スイッチ、リモコン、マイク等によって切替えを指示する（操作入力）。映像信号出力切替え手段１７は、操作入力があると（ステップ３０３）、複数の新しい映像信号入力があるかどうかチェックする（ステップ３０４）。これは、例えば、映像信号検出手段１４，１５，１６がそれぞれ新しい映像信号入力有りの検出結果を映像信号出力切替え手段１７にも通知し、映像信号出力切替え手段１７がそれを保持しておくことで容易に実現できる。また、映像信号出力切替え手段１７が、通知された検出結果に順番をつけておくことで、新しく入力された映像信号の順番もチェックすることができる。映像信号出力切替え手段１７は、複数の新しい映像信号が無い場合は、そのまま新しい映像信号入力に切替える（ステップ３０５）。しかし、複数の新しい映像信号入力がある場合は、先に検出されていた新しい映像信号入力、ここでは映像入力ポート１２に入力されている映像信号に切替えを行う（ステップ３０６）。なお、映像入力ポート１３に入力されている映像信号に切替えたい場合は、使用者が再度操作スイッチ等を操作して操作入力を行うことで、切替えることが可能になる（ステップ３０６→３０１→３０３→３０４→３０６のループ）。
【００４３】
このようにして、現在視聴中の映像を続けて視聴したい場合には、特に何も意識しなくてもそのまま視聴でき、かつ、複数の新しい映像信号が映像入力ポートに入力され、映像信号検出手段に新しい映像信号の入力が検出された場合には、視聴中の映像を妨害することなく使用者に通知して、検出した順番に切替えを行うことによって、使用者は容易に切替えることが可能になる。
【００４４】
次に、図９のフローチャートを用いて第４の実施形態の動作を説明する。ここでも、映像信号入力状態表示手段１９は図２に示すＬＥＤ２１，２２，２３とし、使用者が映像入力ポート１１に入力されている映像信号を視聴しているとする。そこに、例えば新しく映像入力ポート１２に映像信号が入力された場合（ステップ４００）、映像信号検出手段１５は新しい映像信号入力有りと判断し（ステップ４０１）、映像信号入力状態表示手段１９は、映像入力ポート１２の新しい映像信号入力に対応したＬＥＤ２２を点滅して（ステップ４０２）、使用者に新しい入力があることを通知する。使用者は現在視聴中の映像を続けて視聴したい場合は何の操作もしない（ステップ４０３）。一方、新しい映像入力に切替えたい場合は、使用者は、先の第１の実施形態の場合と同様に、操作スイッチ、リモコン、マイク等によって切替えを指示する（操作入力）。映像信号出力切替え手段１７は、操作入力があると（ステップ４０３）、それまでの映像入力ポート１１の映像信号にかえて、映像入力ポート１２に入力された新しい映像信号に切替える（ステップ４０４）。これにより、映像信号表示手段１８では、映像信号出力切替え手段１７において選択された映像入力ポート１２の新しい映像信号を表示する。
【００４５】
ここで、使用者は新しく映像入力ポート２に入力された映像信号を視聴しているとする。この視聴中の映像入力ポート２の映像信号入力が無くなった場合（ステップ４０５）、映像信号出力切替え手段１７では、直前に視聴していた映像入力ポート、ここでは映像入力ポート１１の映像信号に自動的に切替える（ステップ４０６）。このようにして、使用者はわずらわしい操作無く映像信号の切替えを容易に行うことができる。映像入力ポートの映像信号が無くなったかどうかは、映像信号出力切替え手段１７が当該映像信号検出手段からその旨の通知を受けるようにすればよい。
【００４６】
また、あらかじめ映像入力ポートに優先度をつけておくことによって、映像信号出力切替え手段１７では、視聴中の映像入力ポートの映像が無くなった場合には優先度の高い方に切替えを行うことができる。
【００４７】
さらに先に述べたように検出結果に順番をつけておくことで、視聴中の映像入力ポートの映像信号が無くなった場合には、映像信号検出手段が検出した順番に映像信号切替え手段１７が入力ポートを切替えることができる。例えば、映像入力ポート１１→映像入力ポート１２→映像入力ポート１３の順番で各映像信号検出手段１４，１５，１６が映像信号有りと検出した場合で、映像入力ポート１２を視聴していた場合、映像入力ポート１２の映像信号が無くなった場合は、映像信号切替え手段１７は、映像入力ポート１３に切替える。また、映像入力ポート１１→映像入力ポート１２→映像入力ポート１３の順番で各映像信号検出手段１４，１５，１６が映像信号有りと検出した場合で、映像入力ポート１３を視聴していた場合、映像入力ポート１３の映像信号が無くなった場合は、映像信号切替え手段１７は、映像入力ポート１２に切替える。
【００４８】
このようにして、使用者はわずらわしい操作を行うことなく、自動的に映像信号の切替えを容易に行うことができる。
【図面の簡単な説明】
【００４９】
【図１】本発明の映像表示装置の構成例を示すブロック図。
【図２】映像表示装置パネル部の構成例を示す図。
【図３】小型文字表示素子を備えた表示装置の構成例を示す図。
【図４】小型映像表示素子を備えた表示装置の構成例を示す図。
【図５】スピーカー、マイク付き表示装置の構成例を示す図。
【図６】第１の実施形態の動作フローチャート。
【図７】第２の実施形態の動作フローチャート。
【図８】第３の実施形態の動作フローチャート。
【図９】第４の実施形態の動作フローチャート。
【符号の説明】
【００５０】
１１，１２，１３  映像入力ポート
１４，１５，１６  映像信号検出手段
１７  映像信号出力切替え手段
１８  映像信号表示手段
１９  映像信号入力状態表示手段
２０  映像表示装置パネル部
２１，２２，２３  ＬＥＤ
２４，２５，２６  操作スイッチ
２７  リモコン受光部
２８  リモコン
３０  表示装置（ディスプレイ）
３２  文字表示素子
３３  映像表示素子
３４  スピーカー
３５  マイク
【図１】
2008076455.tif 000003
【図２】
2008076455.tif 000004
【図３】
2008076455.tif 000005
【図４】
2008076455.tif 000006
【図５】
2008076455.tif 000007
【図６】
2008076455.tif 000008
【図７】
2008076455.tif 000009
【図８】
2008076455.tif 000010
【図９】
2008076455.tif 000011